(57)【特許請求の範囲】
【請求項１】
スライドニードル（１）において、
ニードル基体（２）のステムが一方の端部に、尖端を有するフック（３）を保持しており、
前記ステムに設けられた互いに平行な２つのスリット壁（６，７）が相互間に、両スリット壁（６，７）間の間隔に等しい幅（Ｗ１，Ｗ２）を有する１つのスライドスリット（４）を画定しており、しかもａ）該スライドスリット（４）が、前記フック（３）に向き合った入口（１５）を有しかつ該入口（１５）を起点として延在しており、かつｂ）ニードル背部に対して互いに等しい高さで測定した場合に前記入口（１５）に近い少なくとも１つの部位での前記スライドスリット（４）の幅（Ｗ１）が、前記入口（１５）から遠く離隔した少なくとも１つの部位での前記スライドスリット（４）の幅（Ｗ２）よりも小さく、
少なくとも２つのスライドばね（１１，１２）から成るスライド（８）が設けられており、しかもａ）前記の両スライドばねの、前記フック（３）の方に向いた自由脚片（２６，２７）が、１つの接触部位（２９）を起点として前記フック（３）の方に向かって開いた１つの漏斗体（２８）を形成すべく、相互に離間するように外向きに湾曲されており、ｂ）前記の両スライドばね（１１，１２）が、前記接触部位（２９）に続いて前記漏斗体（２８）とは反対側の部位（３１，３２）で相互に離間する方向に湾曲されており、かつｃ）前記の両スライドばね（１１，１２）が、前記スライドスリット（４）内で、前記フック（３）へ接近する方向及び該フックから離間する方向にシフト可能に配置されている
ことを特徴とする、スライドニードル。
【請求項２】
スライドスリット（４）がその入口（１５）に、両スライドばね（１１，１２）を案内するためのボトム案内面（１６）を有している、請求項１記載のスライドニードル。
【請求項３】
スライドニードル（１）が、スライド（８）の引戻し時にスライドスリット（４）内へ前記スライド（８）を潜没させる装置（１６；３７，３８，４１，４２）を有している、請求項１記載のスライドニードル。
【請求項４】
掘り下げボトム域（２４）上位のスライドスリット（４）が全高にわたって、入口（１５）における幅（Ｗ１）よりも大きな幅（Ｗ２）を有している、請求項１記載のスライドニードル。
【請求項５】
ボトム案内面（１６）上位の両スリット壁（６，７）が、スライドばね前端（３９）の高さ（Ｔ）よりも低い高さ（Ｔ１）を有している、請求項２記載のスライドニードル。
【請求項６】
掘り下げボトム域（２４）上位の両スリット壁（６，７）が、糸受け区分（３３）における両スライドばね（１１，１２）の高さよりも大きな高さを有している、請求項３記載のスライドニードル。
【請求項７】
両スライドばね（１１，１２）が、編目移しのために働く前部機能域（３３）において相互に対称的に形成されている、請求項１記載のスライドニードル。
【請求項８】
スライド（８）の引戻し時にスライドスリット（４）内へ前記スライド（８）を潜没させる装置（１６；３７，３８，４１，４２）には、ニードル基体（２）及び両スライドばね（１１，１２）に設けられた案内面（３７，３８，４１，４２）が所属し、かつ該案内面（３７，３８，４１，４２）が、スライドスリット（４）の入口（１５）後方へのスライド引戻し時に、ニードル背部（２５）への方向の沈下運動を両スライドばね（１１，１２）に与える案内装置を形成している、請求項３記載のスライドニードル。
【請求項９】
両スライドばね（１１，１２）の横方向湾曲が、入口（１５）から遠く離隔したスライドスリット（４）の領域（４ｂ）では両スライドばね（１１，１２）を弛緩させるように設計されている、請求項１記載のスライドニードル。
【請求項１０】
両スライドばね（１１，１２）の横方向湾曲が、入口（１５）に近いスライドスリット（４）の領域（４ａ）では前記スライドスリット（４）内で両スライドばね（１１，１２）に圧縮負荷をかけて前記の両スライドばね（１１，１２）の自由端（２６，２７）を拡開させるように設計されている、請求項１記載のスライドニードル。
【請求項１１】
両スライドばね（１１，１２）が、各ばね前端（３９）へ向かって漸減する肉厚を有している、請求項１記載のスライドニードル。
【発明の詳細な説明】
【０００１】
【発明の属する技術分野】
本発明は、特に編目形成繊維機械用のスライドニードルに関する。
【０００２】
【従来の技術】
ドイツ連邦共和国特許出願公告第２５ ３７ ５０２号明細書に基づいてスライドニードルは公知になっている。該スライドニードルは、一端でフックへ移行する細長いニードル基体を有している。前記フックの開放側に向き合った部位を起点として、相互間隔をおいて平行に配置された２つのスリット壁がニードルステムに沿って延在している。両スリット壁間に１つのスライドスリットが形成されている。該スライドスリット内には、長手方向にシフト可能なスライドが配置されており、該スライドは、フラットに互いに接し合う２つのスライドばねから成っている。両スライドばねは側面図で見れば、ほぼ長方形である。スライドは、該スライドがフックの方へシフトされる場合に、上部角隅域でもってフック又は少なくともフック尖端に接触することができる。このために両スライドばねは、その適当な上部角隅域で、幾分相互に離間する方向に湾曲されており、この湾曲によってフック尖端を受容するための漏斗体が形成される。該漏斗体は、スライドの運動方向に対して斜め方向に開いている。
【０００３】
スライドの外向きに湾曲された両角隅に、スライドスリット内への進入を可能にするために、該スライドスリットは、上部の狭いストリップ状域において拡張されている。これとは逆に、ボトムに近いスリット域は狭くなっている。スライドスリットのボトムは実質的にフラットであり、スライドは純然たる軸方向運動を行い、しかもスライドは、如何なる位置においても、一様な相互間隔を有する両スリット壁の内面によって案内されている。
【０００４】
またドイツ連邦共和国特許第１９９ １３ ８２２号明細書に基づいて公知になっているスライドニードルの特殊性は、スライドの構成にある。該スライドは、腹状に相互に離間する方向に湾曲された２つのスライドばねによって形成されている。両スライドばねのニードルフック寄りの両自由端は、フック尖端のための受容漏斗体を形成するために、もう一度相互に離間する方向に湾曲されている。両スライドばねの横方向湾曲成形によって、スライドスリット内における両スライドばねの良好なセンタリングが得られる。両スライドばねはその場合、相互に離間する方向の弾発傾向に基づいて、両スリット壁に沿って弾性的に接触する。
【０００５】
スライドの案内はその場合、スライドスリットが狭いと、スライドばねが良好にセンタリングされるので、特に優れていることが判った。従ってスライドは、例えば斜めに緊張された編目に起因した横方向引張り力に対しても、敏感な作用を比較的受けることはない。
【０００６】
スライドはその運動のためには、スライドスリットにおけるスライド摩擦を克服する力を必要とする。スライド摩擦は例えば漏斗体の大きさに関連している。横方向糸引張り作用を受ける場合にも確実にフックに的中させるように、両スライドばねがその自由端で相互に広く拡開されている場合には、増大されたスライド摩擦が生じることになる。
【０００７】
更なる問題点は、スライドスリット内にダストや繊維屑など侵入した場合には、スライド摩擦が決定的に増大することである。これによって、スライドニードルは機能障害に達することもある。
【０００８】
【発明が解決しようとする課題】
本発明の課題は、横方向の編目引張り作用に対して殆ど又は全く影響を受けることがなく、かつスライド摩擦の低下されたスライドニードルを提供することである。
【０００９】
【課題を解決するための手段】
前記課題を解決する本発明の構成手段は、請求項１の特徴部に記載したように、ニードル基体のステムが一方の端部に、尖端を有するフックを保持しており、前記ステムに設けられた互いに平行な２つのスリット壁が相互間に、両スリット壁間の間隔に等しい幅を有する１つのスライドスリットを画定しており、しかも該スラドスリットが、前記フックに向き合った入口を有しかつ該入口を起点として延在しており、かつ少なくとも前記入口に近い部位では前記スライドスリットの幅（Ｗ１）が、少なくとも前記入口から遠く離隔した部位においてニードル背部に対して等しい高さで測定された幅（Ｗ２）よりも小さく、少なくとも２つのスライドばねから成るスライドが設けられており、しかも前記の両スライドばねの、前記フックの方に向いた自由脚片が、１つの接触部位を起点として前記フックの方に向かって開いた１つの漏斗体を形成するために、相互に離間する方向に湾曲されており、 前記の両スライドばねが、前記接触部位に続いて前記漏斗体とは反対側の部位で相互に離間する方向に湾曲されており、かつ前記の両スライドばねが、前記スライドスリット内で、前記フックへ接近する方向及び該フックから離間する方向にシフト可能に配置されている点にある。
【００１０】
要するに本発明のスライドニードルは、少なくとも２つのスライドばねから成っていて１つのスライドスリット内を走行するスライドを有している。該スライドは一体に構成することもでき、或いは複数の個別的な部材（スライドばね、スライド本体）から成り、該個別的部材を互いに着脱可能に又は分離不能に結合することもできる。前記スライドスリットは、フック寄りの端部における第１案内域では、他の領域よりも狭幅である。第２案内域におけるスライドスリットの内法幅又は幅は、ニードル背部に対して等しい高さで測定した場合、前記の第１案内域よりも広幅である。前記の両測定部位Ｍ１，Ｍ２を１本の仮想直線によって互いに結合すれば、この直線はニードル背部に対して平行に位置している（図４）。第１案内域はその全高にわたって、ニードル長手方向で前記の第１案内域に接続する第２案内域よりも狭幅である。両スライドばねは付加的に腹状に夫々外向きに湾曲されている。スライドスリットはその幅を長手方向で段付けして形成されている。該スライドスリットはその入口（長手方向で見て前位の部位）では狭幅であり、かつ前記入口から隔たった（長手方向で見て後位の部位の）前記第２案内域におけるスライドスリットは広幅である。つまりニードルフックに直接向き合った入口近傍におけるスライドスリットは、第２案内域よりも狭幅である。両案内域は部分的にオーバーラップすることもできる。またスライドスリット又は少なくとも第２案内域は部分的に又は全長にわたって、段付けされた実施形態又はＵ形とは異なった実施形態をとることも可能である。
【００１１】
両スライドばねの横方向湾曲は、漏斗体を形成する両スライドばねの自由端がフック尖端に被せられた場合に、狭窄されたスライド域に位置するように確定されているのが有利である。両スライドばねの狭窄域の長さ及び外向き湾曲域の位置は、スライドがフックに被さる時に、漏斗体がフック尖端に達する以前に両スライドばねの外向き湾曲域が、狭窄されたスリット域内へ入り込むように確定されている。これによって漏斗体は、フック尖端に到達する直前に正確にセンタリングされるので、該漏斗体は極めて狭くすることができ、かつ横方向の糸引張り作用にも拘わらず、フックの中心に的中する。他面においてスライド摩擦が全体的に僅かである。それというのはスライドがフックから引戻されると即座に、横方向外向きに湾曲したスライドばね域が、拡張されたスリット内へ侵入し、この拡張スリット内ではスライドばねは、スリット壁に対して僅かなばね張力をもって、或いは遊びをもって走行するからである。
【００１２】
拡張されたスリット域（第２案内域）では、ダスト及び繊維片が蓄積することもあるが、スライドニードルの性能が著しく害なわれることはない。従って本発明のスライドニードルは、ダストに対して反応して機能障害を起こすことは少ない。
【００１３】
漏斗体を特に狭く設計できることの付加的効果として、漏斗体を形成する両スライドばねの腹状域が狭められたスリット域内へ侵入すると即座に、前記の両スライドばねの自由端が相互に拡開する作用が挙げられる。前記侵入に伴って、両スライドばねの腹状域が相互方向に動かされ（相互に押し合わされ）、これによって両スライドばねの前端は、スリット幅以上の幅に拡開することができる。これによってスライドニードルの特に確実な作業を保証することが可能になる。
【００１４】
スライドばねの湾曲は、両スライドばねの腹状域がスライドスリットの拡張域内に位置している場合に、漏斗体外法幅がスライドスリットのスリット幅にほぼ等しくなるように設計されているのが有利である。このような構成は、微小スライド摩擦を保証する。それというのはスライドばねがスライドスリット内で弛緩できるからである。腹状域は、拡張されたスリット内では、予荷重なく位置しているのが有利である。
【００１５】
スリットフランクにおけるスライド摩擦は実質的に、前部の狭幅スリット域に限定されている。これによって編目の横方向引張り力に対する高い抵抗モーメント並びにスライドの僅かな摩擦、つまりスライドの易動性が得られる。
【００１６】
スライドニードルは、スライドの引戻し時にスライドをスライドスリット内へ潜没させる装置を有している。このためにスライドスリットは、例えば国際特許第０１／３１１０１号明細書に基づいてそれ自体公知のように、スライドの入口にスライド部材を案内するためのボトム案内面を有している。該ボトム案内面は、スライドばね用の走行底を形成している。該走行底に続いて掘り下げボトム域が設けられており、該掘り下げボトム域はニードル背部に対して、前記ボトム案内面よりも僅かな距離を有している。スリット壁高さが等しい場合、これによってスライドスリットの深まりが生じる。スライドスリットの入口を起点としてボトム案内面は先ず、ニードル背部に対して幾分大きな隔たりをとって直線的に延び、次いで前記ニードル背部に次第に接近し、該ニードル背部に対してより僅かな隔たりで該ニードル背部に対して平行に延びる。これによってスライドばねは、引戻し時に同時に潜没することができ、つまり、深められたスライドスリット域ではスリット壁上縁より下位へ潜没した状態で引戻される。このことは、特に微細編目の編地を編成する際に重要である。このような編地の編成時には、ニードルステム高さが僅かであることが所望されると共に、ニードルフックから離反する方向でのニードルステム高さの増加がごく僅かしか所望されないからである。ボトム案内面が終わりかつスリットボトムがニードル背部の方へ下向きに延びる部位で、スライドのスライドばね自由端がスライドスリット内へ潜入するのが殊に有利である。このようにしてスリット入口では、全部で３つの案内面が形成される。この３つの案内面とは、互いに対向する２つのスリット壁内面と、両スリット壁間に介在する１つのボトム案内面である。これら３つの面は相俟って１つの案内手段又は１つの案内装置を形成すると同時に、漏斗体拡開に関しては１つの作動手段を形成する。この作動手段を形成するのは、スライドばねの腹状域が前記のスリット壁内面間へ侵入すると即座に、該スリット壁内面がスライドばねを緊縮するからである。残りのスリットは、スライドの引戻される案内室として役立ち、かつ該案内室内をスライドは僅かな摩擦をもって又は遊びをもって走行する。該スライドは、漏斗体を形成するスライドばねがスライドスリットの第２案内域から進出したとき、つまり両スライドばねの、相互に離間する方向にばね作用を有する腹状域が入口の第１案内域へ進入するときに始めて、スライドは正確な案内を得る。
【００１７】
スライドスリット内へのスライドの潜入を制御するために、国際特許第０１／３１１０１号明細書に基づいて公知のように、ニードル基体には案内スロットが設けられており、スライドの引戻し時に、前記案内スロット内に、両スライドばねの対応湾曲域が係合する。前記案内スロットは例えば、ニードル基体に設けられた、ニードル背部に対して斜めに配置された２つの案内面によって形成され、該案内面には、両スライドばねの等角度に形成された案内面が対応配設されている。スライドの引戻し時に前記案内面は互いに接触してスライドの下向運動を生ぜしめるので、該スライドはスライドスリット内へ潜入する（かつこれに伴ってニードル背部に接近する）。
【００１８】
本発明の有利な実施形態の詳細は、図面の詳細な説明又は従属請求項の記載に基づいて明らかである。
【００１９】
【発明の実施の形態】
次に図面に基づいて本発明の実施例を詳説する。
【００２０】
図１に示したスライドニードル１は、終端に形成されたフック３を備えたニードル基体２を有している。前記フック３に対向してスライドスリット４が延在し、該スライドスリットは、例えば図５から判る互いに平行な２つのスリット壁６，７によって画定される。スライドスリット４内には１つのスライド８が配置されており、該スライドは、図２に示したようにフック３へ接近する方向及び、図１に示したように前記フック３から離反する方向に運動することができる。スライド８は、特に図６に示したようにスライド基体１４に装嵌された２つのスライドばね１１，１２を有している。
【００２１】
スライドスリット４の構成は特に図３〜図５に基づいて明らかである。該図面によれば、スライドスリット４を画定する両スリット壁６，７は、フック３に向き合ってその近傍に位置する部位１５で終わっている。つまり該部位１５はスライドスリット４の入口を成している。この部位１５を起点として、図３に破線で示した実質的にフラットな、ボトム案内面１６が始まり、該ボトム案内面はスリットボトムを形成している。この領域におけるスライドスリット４は幅Ｗ１（図５）を有している。スリット壁６，７の、互いに向き合った両内面１７，１８は、ここでは相互間隔Ｗ１を有し、従ってサイド案内面を形成する。スライドスリット４の、ボトム案内面１６と両内面１７，１８とによって画定されたスリット領域４ａは、従って第１案内域を形成する。スライドスリット４の残りのスリット領域４ｂは、第２案内域又は自由走行域を形成し、該自由走行域においてはスライド８は、より少ない案内で、その代わり低減された摩擦作用をもって走行することができる。自由走行域４ｂは全高にわたって拡張されている。両スリット壁６，７は内面２１，２２を有し、両内面の間隔Ｗ２は間隔Ｗ１よりも大である。更に自由走行域４ｂではスリットボトムは深く掘り下げられている。両内面１７，１８が例えば１つの段部でもって両内面２１，２２へ移行する部位２３において、ボトム案内面１６も掘り下げボトム域２４へ移行する。この掘り下げられた、つまりニードル背部２５に接近された、スライドスリット４の領域を起点として、両内面２１，２２は互いに平行に、かつ、全高にわたって等しい相互間隔で延びている。従ってスライドスリット４は入口では全高にわたって狭幅（Ｗ１）であり、かつその他では全高にわたって広幅（Ｗ２）である。
【００２２】
スライドスリット４内を走行する両スライドばね１１，１２は図６に特別に図示されている。両スライドばね１１，１２は、相互に離間する方向に湾曲されて漏斗体２８を形成する自由端２６，２７を有している。漏斗体２８は、フック３へ向かって開放されている。開放方向は、ニードル背部２５もしくはボトム案内面１６に対してほぼ平行に延びている。両スライドばね１１，１２は、その自由端２６，２７を起点として相互方向に向かって湾曲されており、しかも１つの接触部位２９で始めて接し合う。この接触部位２９から両スライドばね１１，１２は再び相互に離間する横方向に膨隆状に湾曲されている。この膨隆部はその場合、両フランク３１，３２の相互間隔が漏斗体外法幅Ｗにほぼ合致するような大きさである。両フランク３１，３２とは、弛緩状態で相互に最も隔たったスライドばね１１，１２の外面部位のことである。
【００２３】
側面から見た場合に生じるスライドばね１１，１２の輪郭は特に図４から明らかである。両スライドばね１１，１２は、少なくとも図４で認識できる領域では、互いに対称的に形成されている。両スライドばね１１，１２は前部糸受け区分３３を有し、該糸受け区分は、糸室の開閉のためにも、編目移しのためにも役立つ。糸受け区分３３の長さは、フック尖端とスライドスリット４の入口（部位１５）との間の距離にほぼ合致している。接触部位２９は糸受け区分３３内に配置されており、従ってフランク３１，３２は、糸室閉鎖時にはスライドスリット４の第１案内域４ａ内に位置している。両スライドばね１１，１２はこの案内域に正確に下部滑り縁３４を有し、該下部滑り縁は、漏斗体２８が丁度フック尖端に被さった時にボトム案内面１６に接触する。この接触点を起点として下部縁３５は、図４で符号Ｔ２によって示唆したようにスライドばね前端３９へ向かって上り緩勾配を成している。符号Ｔ２は、ボトム案内面１６から、スライドばね１１，１２の両自由端２６，２７が接触する接触部位２９に至るまでの距離を表わしている。スライドばね前端３９とボトム案内面１６との間の距離は、図４で符号Ｔで表されている。この距離Ｔは、第１案内域４ａにおける両スリット壁６，７の高さＴ１よりも大である。これによってスライドの引戻し時に漏斗体２８のスライド前端を第２案内域４ｂにおいて始めて引込むことが可能になる。フック３の方へ向かってのスライド８のシフト時には、両スライドばね１１，１２の相互に拡開した両自由端２６，２７は第１案内域４ａを介してリフトされる。これに基づいて両自由端２６，２７は、拡開にも拘わらず、第１案内域４ａと第２案内域４ｂとの間の推移点に形成された段部（移行部位２３）に衝突することはない。両スライドばね１１，１２は、第１案内域４ａから、拡開された自由端２６，２７より下位に位置する領域へ案内される。両自由端２６，２７は第１案内域に接触することはない。これに加えて、特に微細編目の形成を許容するスリムなステムが得られる。
【００２４】
両スライドばね１１，１２の自由端２６，２７は、スライドばね前端３９へ向かってフラットに面取りされているのが有利である（図６）。これは、摩耗が進んだ場合でも両自由端２６，２７間へのフック３の尖端の受入れを確実にする。
【００２５】
糸受け区分３３に続いて、編目位置決めのための肩３６が設けられている。両スライドばね１１，１２は、図１及び図２に略示したように、前記肩３６に続いてやや外向きに曲げられているので、案内面３７，３８を有する相当区分はスライドスリット４を超えて側方に張出している。案内面３７，３８は、ニードル背部２５に対して斜向配置されている。該案内面の勾配は、ボトム案内面１６から掘り下げボトム域２４への移行部の勾配にほぼ合致している。相応の案内面４１，４２が、等勾配の対応面としてスリット壁６，７の張出し部に沿って形成されている。該張出し部は、図３に示したように糸受け区分３３がスライドスリット４のスリット上縁の下に没するようにスライド８を自由走行域４ｂにおいて下方へ案内するための、スライド８用の案内スロットを形成している。このために掘り下げボトム域２４と両スリット壁６，７の上縁との間の距離は、両スライドばね１１，１２の相当高さよりも大である。
【００２６】
以上説明したスライドニードルの稼働態様は次の通りである。すなわち：
稼働中、スライドニードル１は緯編み機のニードル通路内に挿嵌されており、かつ其処でそのニードル背部２５に沿って往復運動を行う。フックの糸室を開閉するため並びに別の編成工具に糸を移すために、スライド８はニードル基体２に対して相対運動させられる。フック３を完全に解放するためにスライド８が完全にスライドスリット４内へ引込まれると、スライド８は第１案内域４ａを脱出し、従って第２案内域としての自由走行域４ｂ内へ完全に到達し、該自由走行域内ではスライド８は低摩擦でシフトすることができる。この低摩擦シフトが得られるのは特に、漏斗体外法幅Ｗ（図６）が、殊に有利にはスライドスリット幅Ｗ２（図５）よりも小であるか、又は精々ごく僅かしか大でない場合である。従ってニードル摩耗もスライド８のための駆動装置の摩耗も最低限に抑えられている。
【００２７】
これに対してスライド８が糸室を閉鎖するためにフック３へ向かって動かされると、スライド８は、第２案内域として自由走行域４ｂから第１案内域としてスリット域４ａへの移行時に先ず幾分リフトされるので、スライドの下部滑り縁３４はボトム案内面１６に到達する。更にまたスライドばね１１，１２の両フランク３１，３２は、残りのスライドスリット４よりも狭幅の第１案内域４ａに到達する。これによってスライド８は、前記の第１案内域４ａによって正確にセンタリングされる。スライドばね１１，１２は、予荷重によって弾性的にスリット壁の内面１７，１８に接触する。編目の斜め引張りによって発生することのあるような、糸受け区分３３に対して作用する横方向応力は、スライドばねの予荷重によって吸収され、スライド８のセンタリング誤動作を生ぜしめることはない。従って狭い漏斗体２８は、失策なくフック３のほっそりした尖端に正確に被さることができる。従って両スライドばね１１，１２の自由端２６，２７がフック尖端に突き合わさったり、或いは間違った側に沿って擦過するようなリスクは存在しない。従ってスライドニードルは、スライド８の摩擦作用の低下にも拘わらず、該スライドの案内の改善と相俟って、高い精度で稼働する。
【００２８】
第１案内域４ａにおけるスライドスリット４を狭めかつスライドばね１１，１２を側方に膨隆することによって、図７及び図８に示した更なる効果を生ぜしめることが可能になる。すなわち：
図７には、両スライドばね１１，１２のフランク３１，３２がスライドスリット４の第１案内域４ａにまだ到達していない位置で図示されている。漏斗体２８、つまり該漏斗体の両自由端２６，２７は、フック３からなお可成り隔たっている。従って両スライドばね１１，１２は可成り弛緩した状態にあり、かつ低摩擦で又は遊びをもって第２案内域としての自由走行域４ｂ内を滑動する。
【００２９】
これに対して図８では、両フランク３１，３２はすでに第１案内域４ａ内へ入り込んだ状態にある。この第１案内域４ａは、前記自由走行域４ｂよりも狭く、従って両スライドばね１１，１２を幾分緊縮している。従って両スライドばね１１，１２は接触部位２９で互いに接し合い、かつ両自由端２６，２７は互いに拡開する。この拡開作用によって漏斗体２８は拡張されるので、今や該漏斗体はスライドスリット４よりも著しく広くなることができる。この状態は、両スライドばね１１，１２の長さの適当な設計と、特に第１案内域４ａに対する両フランク３１，３２の配置構成とに基づいて、漏斗体２８がフック３の尖端に到達する場合に得られる。換言すればフック尖端と第１案内域４ａの中点との距離は、自由端２６，２７とフランク３１，３２との距離にほぼ等しい。従って、拡張された漏斗体２８はフック３に高い確実性をもって的中するので、フック３は、衝突することなしに漏斗体２８内に位置することになる。スライド８に対して横方向に強い引張り力が作用しても、機能障害が生じることはない。両スライドばね１１，１２は第１案内域４ａと相俟って、スライド８の前進時には糸を受けるために開くが、引戻し時には再び閉じるピンセットのように作用するので、スライド８は全体として低摩擦でスライドスリット４内を走行する。
【００３０】
１本のスライドニードル１は、２つのスライドばね１１，１２を有する１つのスライド８を装備している。両スライドばねは、その導入用漏斗体２８に直接接続する領域で互いに離間するように湾曲されている。スライドニードルは１つのスライドスリット４を有し、該スライドスリットは、入口１５では先ず差し当たって比較的狭く、ここで１つの第１案内域４ａが確定されている。次いでスライドスリット４は拡がって、第２案内域としての自由走行域４ｂが確定されている。両スライドばね１１，１２のサイド膨出部は、スライド８を前記自由走行域４ｂでは摩擦なく自由に走行させ、かつ第１案内域４ａでは側方遊びなしに案内するように設計されている。スライドニードル１は、スライド８に対して横方向の引張り力が作用する場合でも正確に稼働し、かつその漏斗体２８は僅かな開口幅しか必要としない。
【図面の簡単な説明】
【図１】スライドを引戻して糸室を開放した状態で示したスライドニードルの部分的な斜視図である。
【図２】スライドを前進させて糸室を閉鎖した状態で示したスライドニードルの部分的な斜視図である。
【図３】図１に示したスライドニードルの部分的な側面図である。
【図４】図２に示したスライドニードルの部分的な側面図である。
【図５】スライドを省いて示したスライドニードルの部分的な平面図である。
【図６】スライドニードルのスライドの平面図である。
【図７】図１の位置におけるスライドニードルのスライドスリットとスライドとの機能関係を示す概略的な平面図である。
【図８】図１の位置と図２の位置との中間位置におけるスライドスリットとスライドとの機能関係を示す概略的な平面図である。
【符号の説明】
１    スライドニードル、  ２    ニードル基体、  ３    フック、  ４    スライドスリット、  ４ａ    第１案内域としてのスリット域、  ４ｂ    第２案内域としての自由走行域、  ６，７    スリット壁、  ８    スライド、  １１，１２    スライドばね、  １４    スライド基体、  １５    入口としての部位、  １６    ボトム案内面、  １７，１８；２１，２２    スリット壁の内面、  ２３    移行部位、  ２４    掘り下げボトム域、  ２５    ニードル背部、  ２６，２７    自由端、  ２８    漏斗体、  ２９    接触部位、  ３１，３２    フランク、  ３３    糸受け区分、  ３４    下部滑り縁、  ３５  下部縁、  ３６    肩、  ３７，３８    案内面、  ３９    スライドばね前端、４１，４２    案内面、  Ｗ    漏斗体外法幅、  Ｗ１    スライドスリット幅（狭幅）、  Ｗ２    スライドスリット幅（広幅）、  Ｔ    フックとボトム案内面との距離或いはスライドばね前端の高さ、  Ｔ１    第１案内域におけるスリット壁の高さ、  Ｔ２    ボトム案内面から接触部位に至るまでの距離
【図１】
0004056803.tif 000002
【図２】
0004056803.tif 000003
【図３】
0004056803.tif 000004
【図４】
0004056803.tif 000005
【図５】
0004056803.tif 000006
【図６】
0004056803.tif 000007
【図７】
0004056803.tif 000008
【図８】
0004056803.tif 000009